(57)【要約】      （修正有）【課題】ミキシングシステムにおいて、入出力装置のポートのオーディオ信号をモニタでき、且つ、そのパラメータも調整できる。【解決手段】ミキシングシステムは、ミキサ本体のオペレータの操作に基づいて、入出力装置の入力ポートから入力し、入力パラメータで特性を制御した音響信号を、ミキサ本体でオーディオ信号処理して、入出力装置の出力ポート８０から出力パラメータで特性を制御して、出力する。入出力装置は、スタッフが操作するスタッフ操作部と、スタッフ操作に応じて入パラメータ及び出力パラメータを制御するパラメータ制御部と、スタッフ操作に応じて選択されたポートにて特性が制御された音響信号を出力するモニタ出力部８２を備え、モニタ出力部が、オペレータの操作とは無関係に、スタッフに選択されたポートの音響信号を出力する。【選択図】図７
2012204864.tif 000002
【特許請求の範囲】
【請求項１】
音響信号を入出力するための複数の入出力装置と、音響信号に対するミキシング処理を行うためのミキシングエンジンと、前記入出力装置及び前記エンジンを制御する制御装置からなり、該入出力装置及び該エンジンが互いにオーディオネットワークにより接続されたオーディオミキシングシステムにおいて、
前記入出力装置が、
それぞれ、外部から音響信号を入力し、入力パラメータに応じて前記音響信号の特性を制御する複数の入力ポートと、
前記入力ポートに入力された音響信号を前記オーディオネットワークを介して前記ミキシングエンジンに送信する第１送信部と、
前記ミキシングエンジンから出力された複数の音響信号を前記オーディオネットワークを介して受信する第１受信部と、
それぞれ、前記第１受信部で受信した音響信号を、出力パラメータに応じて前記音響信号の特性を制御して出力する複数の出力ポートと、
前記入パラメータ及び前記出力パラメータを調整するパラメータ制御操作、及び、１つの前記入力ポート又は前記出力ポートを選択するポート選択操作を受け付けるスタッフ操作部と、
前記スタッフ操作部での前記パラメータ制御操作に応じて前記入パラメータ及び出力パラメータを制御するパラメータ制御部と、
前記スタッフ操作部での前記ポート選択操作に応じて、１つの前記入力ポート又は前記出力ポートを選択して、前記選択された入力ポート又は出力ポートにて音特性が制御された音響信号を出力するモニタ出力部を備えており、
前記ミキシングエンジンが、
前記入出力装置の前記第１受信部から前記オーディオネットワークを介して送信された複数の音響信号を、受信パラメータに応じて選択的に受信する第２受信部と、
入力パッチパラメータに応じて、前記第２受信部により受信した各音響信号をそれぞれ１つの入力チャンネルに供給する入力パッチと、
それぞれ、入力チャンネルパラメータに応じて、前記入力パッチにより供給された音響信号の特性を制御して１又は複数のバスに選択的に出力する複数の入力チャンネルと、
それぞれ、１又は複数の前記入力チャンネルから供給された音響信号を混合して、１つの音響信号を出力する複数のバスと、
それぞれ、出力チャンネルパラメータに応じて、対応する混合バスから供給された音響信号の制御して出力パッチに出力する複数の出力チャンネルと、
出力パッチパラメータに応じて、前記複数の出力チャンネルから出力された音響信号を送信部に供給する出力パッチと、
送信パラメータに応じて、前記出力パッチから供給された音響信号を、前記オーディオネットワークを介して複数の前記入出力装置に送信する第２送信部と、
モニタパラメータに応じて、何れか１の前記入力チャンネルの音響信号を選択して、選択された音響信号を出力するモニタ出力部を備え、
前記制御装置が、
前記入出力装置及び前記ミキシングエンジンに対するデバイス制御操作を受け付けるオペレータ操作部と、
前記デバイス制御操作に応じて、前記入出力装置の前記各パラメータと前記ミキシングエンジンの前記各パラメータを制御するデバイス制御部を備えており、
前記入出力装置の前記モニタ出力部が、前記制御装置の前記オペレータ操作部の制御操作とは無関係に、当該入出力装置の前記スタッフ操作部のポート選択操作によって選択された音響信号を出力することを特徴とするオーディオミキシングシステム。
【請求項２】
前記入力パッチによりいずれかの前記入力チャンネルに接続されている前記入力ポートの前記入力パラメータ、及び、前記出力パッチによりいずれかの前記出力チャンネルに接続されている前記出力ポートの前記出力パラメータの少なくとも一方について、前記パラメータ制御部は、前記パラメータ制御操作に応じた制御を行わないことを特徴とする請求項１に記載のオーディオミキシングシステム。
【請求項３】
前記制御装置のオペレータ操作部が、オペレータによる前記デバイス制御操作を受け付けるものであり、
前記入出力装置のスタッフ操作部が、前記オペレータとは別のスタッフによる前記パラメータ制御操作及び前記ポート選択操作を受け付けるものであることを特徴とする請求項１又は２に記載のオーディオミキシングシステム。
【発明の詳細な説明】
【技術分野】
【０００１】
本発明は、オーディオネットワークにより接続されたミキシングエンジンと複数の入出力装置と、該ミキシングエンジン及び該入出力装置を制御する制御装置とからなるオーディオミキシングシステムに関し、詳しくは該システムにおいてオーディオ信号をモニタする機能に関する。
【背景技術】
【０００２】
従来、デジタルオーディオミキサにおいて、任意のオーディオ信号（音響信号）をモニタ（検聴）する機能には、モニタ機能とＣＵＥ機能（キュー機能）との２種類の機能があった。モニタ機能は、オペレータがモニタソースとして選択したオーディオ信号をモニタ出力部から出力する機能である。また、ＣＵＥ機能は、オペレータがＣＵＥ機能の対象に指定した１つの信号処理チャンネルのオーディオ信号をモニタ出力部から出力する機能である。或るチャンネルがＣＵＥ機能の対象に指定されたとき、モニタセレクタで選択中のオーディオ信号に代えて一時的に当該チャンネルのオーディオ信号がモニタ出力部から出力され、オペレータは当該ＣＵＥ対象のチャンネルのオーディオ信号をチェックできた（下記非特許文献１及び下記特許文献１を参照）。
【０００３】
従来のモニタ機能及びＣＵＥ機能では、外部からミキサにオーディオ信号を入力する入力ポートのオーディオ信号を直接的にモニタの対象として選択できなかった。入力ポートのオーディオ信号をモニタしたい場合には、当該入力ポートを任意のチャンネルに接続し、そのチャンネルをＣＵＥ機能の対象に指定することで、その入力ポートのオーディオ信号を間接的にモニタしていた。また、出力ポートに関しても、出力ポートのオーディオ信号を直接的にモニタの対象とすることはできず、モニタしたい出力ポートに接続されているチャンネルをＣＵＥ機能の対象に指定すること、或いは、その出力ポート以外の全ての出力ポートをミュートすることで、当該出力ポートのオーディオ信号を間接的にモニタしていた。
【０００４】
ところで、従来のデジタルオーディオミキサには、オペレータの操作に応じた制御機能と、オーディオ信号処理機能と、オーディオ信号の入出力機能とを、それぞれ個別のハードウェア装置であるミキシングコンソールと、ミキシングエンジンと、入出力装置に分散して構成し、コンソールからエンジン及び入出力装置の動作をリモート制御するオーディオミキシングシステムがあった。
このタイプのミキシングシステムに搭載されたモニタ機能及びＣＵＥ機能においても、上記のデジタルオーディオミキサと同様に、入力ポート及び出力ポートのオーディオ信号を直接的にモニタすることはできなかった（下記非特許文献２、あるいは、下記特許文献２を参照）。
【０００５】
更に、従来のオーディオミキシングシステムには、ミキシングコンソールとミキシングエンジンと入出力装置をオーディオネットワークにより接続して構成されたネットワーク型のオーディオミキシングシステムがあった。ネットワーク型のオーディオミキシングシステムに搭載されたモニタ機能及びＣＵＥ機能においてもまた、入力ポート及び出力ポートのオーディオ信号を直接的にモニタすることはできなかった（例えば、下記特許文献３を参照）。
【先行技術文献】
【特許文献】
【０００６】
【特許文献１】特許第４２１１７４６号公報
【特許文献２】特許第３９２５１１０号公報
【特許文献３】特開２０１０‐２２６５３７号公報
【非特許文献】
【０００７】
【非特許文献１】"Digital mixing console M7CL Version３（取扱説明書）"、［online］、２００５年作成、ヤマハ株式会社［平成２２年１１月８日検索］、インターネット〈URL：http://www2.yamaha.co.jp/manual/pdf/pa/japan/mixers/m7clv3_ja_om_g0.pdf
【非特許文献２】・・・・・・・・・・・・・・・・・・・・・・・・・・（パンフレット）"、［online］、２００５年１１月作成、ヤマハ株式会社、［平成２２年１１月８日検索］、インターネット〈URL：http://proaudio.yamaha.co.jp/downloads/brochures/mixers/pm1dv2_brochure_ja.pdf〉
【発明の概要】
【発明が解決しようとする課題】
【０００８】
コンソール、エンジン及び入出力装置からなるオーディオミキシングシステムは、システムを構成する各装置を相互に離れた場所に設置できるという利点がある。例えば、コンサートホール等の会場において、客席後方のミキシングブース内にコンソールを設置し、ステージ上（マイクやレコーダ等のオーディオ信号の入力源又は出力先となる機材の近傍）に入出力装置を設置できる。
【０００９】
このようにオーディオミキシングシステムを構成する各装置を相互に離れた場所に設置する状況では、オペレータがコンソールを操作してミキシングシステムの制御を行い、該オペレータとは別の人員たるスタッフが入出力装置に対する機材の接続や入出力装置に対する各種操作を行うのが、一般的である。
【００１０】
かかるオーディオミキシングシステムにおいて、例えば、或る出し物に関してミキシングシステムを操業中に、その時点で未使用の入出力装置を使って、別の出し物に関する設定（例えば機材の接続や入力レベルの調整など）を行うことができると都合がよく、そのような設定を行うにあたり当該未使用の入出力装置のオーディオ信号をスタッフがモニタできることが望ましい。
しかし、従来のミキシングシステムでは、前述の通り、そもそも、入力ポート及び出力ポートのオーディオ信号を直接的にモニタ対象に指定できなかった。また、間接的な方法で入力ポート及び出力ポートのオーディオ信号をモニタするにせよ、コンソールのオペレータのみがモニタできる構成であったため、入出力装置のスタッフは、その入出力装置で入出力するオーディオ信号をモニタできなかった。このため、従来のミキシングシステムでは、例えば、或る出し物に関してミキシングシステムを操業中に、スタッフが、未使用の入出力装置を使って、別の出し物に関するオーディオ信号をモニタしたり、そのオーディオ信号の入力レベル等のパラメータを調整したりすることはできなかった。
【００１１】
この発明は、上記の点に鑑みてなされたもので、制御装置のオペレータの操作に関係なく、入出力装置の入力ポートに入力されているオーディオ信号をモニタでき、必要に応じて、そのオーディオ信号のレベル調整を行えるようにしたミキシングシステムを提供することを目的とする。
【課題を解決するための手段】
【００１２】
この発明は、音響信号を入出力するための複数の入出力装置と、音響信号に対するミキシング処理を行うためのミキシングエンジンと、前記入出力装置及び前記エンジンを制御する制御装置からなり、該入出力装置及び該エンジンが互いにオーディオネットワークにより接続されたオーディオミキシングシステムにおいて、前記入出力装置が、それぞれ、外部から音響信号を入力し、入力パラメータに応じて前記音響信号の特性を制御する複数の入力ポートと、前記入力ポートに入力された音響信号を前記オーディオネットワークを介して前記ミキシングエンジンに送信する第１送信部と、前記ミキシングエンジンから出力された複数の音響信号を前記オーディオネットワークを介して受信する第１受信部と、それぞれ、前記第１受信部で受信した音響信号を、出力パラメータに応じて前記音響信号の特性を制御して出力する複数の出力ポートと、前記入パラメータ及び前記出力パラメータを調整するパラメータ制御操作、及び、１つの前記入力ポート又は前記出力ポートを選択するポート選択操作を受け付けるスタッフ操作部と、前記スタッフ操作部での前記パラメータ制御操作に応じて前記入パラメータ及び出力パラメータを制御するパラメータ制御部と、前記スタッフ操作部での前記ポート選択操作に応じて、１つの前記入力ポート又は前記出力ポートを選択して、前記選択された入力ポート又は出力ポートにて音特性が制御された音響信号を出力するモニタ出力部を備えており、前記ミキシングエンジンが、前記入出力装置の前記第１受信部から前記オーディオネットワークを介して送信された複数の音響信号を、受信パラメータに応じて選択的に受信する第２受信部と、入力パッチパラメータに応じて、前記第２受信部により受信した各音響信号をそれぞれ１つの入力チャンネルに供給する入力パッチと、それぞれ、入力チャンネルパラメータに応じて、前記入力パッチにより供給された音響信号の特性を制御して１又は複数のバスに選択的に出力する複数の入力チャンネルと、それぞれ、１又は複数の前記入力チャンネルから供給された音響信号を混合して、１つの音響信号を出力する複数のバスと、それぞれ、出力チャンネルパラメータに応じて、対応する混合バスから供給された音響信号の制御して出力パッチに出力する複数の出力チャンネルと、出力パッチパラメータに応じて、前記複数の出力チャンネルから出力された音響信号を送信部に供給する出力パッチと、送信パラメータに応じて、前記出力パッチから供給された音響信号を、前記オーディオネットワークを介して複数の前記入出力装置に送信する第２送信部と、モニタパラメータに応じて、何れか１の前記入力チャンネルの音響信号を選択して、選択された音響信号を出力するモニタ出力部を備え、前記制御装置が、前記入出力装置及び前記ミキシングエンジンに対するデバイス制御操作を受け付けるオペレータ操作部と、前記デバイス制御操作に応じて、前記入出力装置の前記各パラメータと前記ミキシングエンジンの前記各パラメータを制御するデバイス制御部を備えており、前記入出力装置の前記モニタ出力部が、前記制御装置の前記オペレータ操作部の制御操作とは無関係に、当該入出力装置の前記スタッフ操作部のポート選択操作によって選択された音響信号を出力することを特徴とするオーディオミキシングシステムである。
【００１３】
本発明に係る音響システムの一実施形態として、前記入力パッチによりいずれかの前記入力チャンネルに接続されている前記入力ポートの前記入力パラメータ、及び、前記出力パッチによりいずれかの前記出力チャンネルに接続されている前記出力ポートの前記出力パラメータの少なくとも一方について、前記パラメータ制御部は、前記パラメータ制御操作に応じた制御を行わないよう構成できる。
また、本発明に係る音響システムの一実施形態として、前記制御装置のオペレータ操作部が、オペレータによる前記デバイス制御操作を受け付けるものであり、前記入出力装置のスタッフ操作部が、前記オペレータとは別のスタッフによる前記パラメータ制御操作及び前記ポート選択操作を受け付ける。
【発明の効果】
【００１４】
この発明によれば、制御装置のオペレータ操作部でのデバイス制御操作に関係なく、入出力装置の各入力ポートに入力している音響信号及び各出力ポートから出力している音響信号を、当該入出力装置のモニタ出力部を使ってチェックでき、且つ、必要に応じてその入力ポート又は出力ポートのパラメータを、その入出力装置のスタッフ操作部を使って調整できるようになるという優れた効果を奏する。よって、例えば、オペレータが制御装置を使って或る出し物のためのミキシングシステムを操業中に、スタッフが未使用の入出力装置を使って、別の出し物に関するオーディオ信号をモニタしたり、そのオーディオ信号の入力レベル等のパラメータを調整したりできるようになる。
また、入力チャンネルに接続されている入力ポートの入力パラメータ、及び、出力チャンネルに接続されている出力ポートの出力パラメータの少なくとも一方について、スタッフによるパラメータ制御操作に応じた制御を行わないよう構成することにより、入力チャンネルに接続されている入力ポート、又は、出力チャンネルに接続されている出力ポートが、制御装置のオペレータによる制御のみを受けるようになるため、オーディオミキシングシステムで使用中の入力ポート又は出力ポートのパラメータがスタッフ操作部にて誤操作されることを防ぐことができる。
【図面の簡単な説明】
【００１５】
【図１】本発明のミキシングシステムの構成例を示すブロック図。
【図２】ミキサ本体（コンソール及びエンジン）のハードウェア構成を説明するブロック図。
【図３】Ｉ／Ｏ装置のハードウェア構成を説明するブロック図。
【図４】（ａ）は図１に示すミキシングシステムのネットワークを伝送される伝送フレームの構成例を示す図、（ｂ）は該伝送フレームの伝送路を説明する図、（ｃ）は該伝送フレームの音響信号記憶領域において各装置に伝送チャンネルを割り当てた状態を説明する図。
【図５】図１のミキシングシステムにおけるオーディオ信号処理の流れを説明するブロック図。
【図６】Ｉ／Ｏ装置におけるオーディオ信号処理の流れを説明するブロック図。
【図７】Ｉ／Ｏ装置が有する簡易ユーザインターフェースの構成例。
【図８】ミキサ本体のメモリとＩ／Ｏ装置のメモリのそれぞれに設けられたカレントメモリと、シーンメモリの構成例を説明する図。
【図９】ミキサ本体が操作子の操作に応じて実行する処理を示すフローチャート。
【図１０】Ｉ／Ｏ装置がミキサ本体から変更指示を受信したときに実行する処理を説明するフローチャート。
【図１１】Ｉ／Ｏ装置が操作子の操作に応じて実行する処理を説明するフローチャート。
【発明を実施するための形態】
【００１６】
以下に、本発明のミキシングシステムの一実施形態を、添付図面を参照して、説明する。
【００１７】
図１は、本発明のミキシングシステムの全体構成を説明するブロック図である。図１において、ミキシングシステム１は、ミキサ本体２（「Console＆Engine」）と、複数の入出力装置３〜６（図では４つの「Ｉ／Ｏ」、以下「Ｉ／Ｏ装置」とも表記する）を、オーディオネットワークにより接続して構成したネットワーク型のミキシングシステムであり、ミキサ本体２とＩ／Ｏ装置３〜６が協働してオーディオ信号処理（ミキシング処理等）を実行する。なお、図１に示すミキシングシステムの構成例は一例であって、各装置の数及び当該システムを構成する装置の種類等は、この限りではない。
【００１８】
ミキサ本体２は、オペレータの操作を受け付けるミキシングコンソール（制御装置）と、オーディオ信号処理（ミキシング処理）を行うミキシングエンジンが一体となった装置であり、オペレータの操作（コンソール操作）に応じてミキシングシステム１全体の動作の制御（すなわち当該ミキサ本体２の動作の制御、及び、Ｉ／Ｏ装置３〜６の動作のリモート制御）を行う。
この実施例では、ミキサ本体２をミキシングシステム１の制御装置として用いるシステム構成例を説明する。この明細書において「オペレータ」とは、ミキシングシステム１の制御装置（すなわちミキサ本体２）を操作する者である。また、この明細書において「チャンネル」という文言を「ｃｈ」とも表記する。
【００１９】
第１Ｉ／Ｏ装置３（♯１Ｉ／Ｏ）、第２Ｉ／Ｏ装置４（♯２Ｉ／Ｏ）、第３Ｉ／Ｏ装置５（♯３Ｉ／Ｏ）、第４Ｉ／Ｏ装置６（♯４Ｉ／Ｏ）は、ミキシングシステム１に対するオーディオ信号の入力、或いは、ミキシングシステム１からのオーディオ信号の出力を行う装置である。この明細書では、Ｉ／Ｏ装置３〜６が有するユーザインターフェースを用いた各種操作やＩ／Ｏ装置３〜６に対する機材の接続作業等を行う者を、ミキサ本体２を操作するオペレータとは区別して「スタッフ」と称する。
【００２０】
また、ミキサ本体２及びＩ／Ｏ装置３〜６のいずれの装置にもパーソナルコンピュータ７（ＰＣ）を接続できる。図１の例では第３Ｉ／Ｏ装置５にＰＣ７を接続している。ＰＣ７は、当該ミキシングシステム１をリモート制御するためのアプリケーションプログラムを実行することで、ミキサ本体２と同様な、ミキシングシステム１の制御装置として機能できる。ＰＣ７を制御装置として用いる場合は、オペレータはＰＣ７のユーザインターフェースを用いてミキシングシステム１の動作を制御（すなわちミキサ本体２及びＩ／Ｏ装置３〜６の動作のリモート制御）を行う。ＰＣ７は、当該ＰＣ７が接続された装置２〜６を介して、ミキシングシステム１内の他の装置と通信する。
【００２１】
図２は、図１に示すミキサ本体２の電気的ハードウェア構成を説明するブロック図である。ミキサ本体２は、ＣＰＵ１０（Central Processing Unit）、ＲＯＭ（Read Only Memory）及びＲＡＭ（Random Access Memory）を含むメモリ１１（ＲＯＭ／ＲＡＭ）、オーディオインターフェース１２（ＡＩＯ。以下「オーディオＩ／Ｏ」とも表記する）、オーディオネットワークインターフェース１３（ＡＮＩＯ。以下「オーディオネットワークＩ／Ｏ」とも表記する）、ＰＣインターフェース１４（ＰＣＩＯ。以下「ＰＣ＿Ｉ／Ｏ」とも表記する）、表示部１５（Ｐ表示）、パネル操作子１６（Ｐ操作子）、電動フェーダ１７（電動Ｆ）及び信号処理部１８（ＤＳＰ。以下「ＤＳＰ部」とも表記する）を含み、各部がＣＰＵバス１９を介して接続される。また、オーディオＩ／Ｏ１２とオーディオネットワークＩ／Ｏ１３及びＤＳＰ部１８は、オーディオバス２０を介して接続される。
【００２２】
ＣＰＵ１０は、メモリ１１に記憶された制御プログラムを実行して、メモリ１１に記憶された各種パラメータに基づいてミキサ本体２の動作を制御する。メモリ１１には、ミキシングシステム１の制御装置として動作するために必要な制御プログラムが記憶されると共に、ＤＳＰ部１８が実行するマイクロプログラムが記憶される。また、メモリ１１は、ネットワーク経由の通信に必要な各種データや、当該ミキシングシステム１の全装置の動作を制御するために必要なカレントデータや、後述のシーン機能に用いる複数のシーンデータ等を記憶する。
【００２３】
表示部１５、パネル操作子１６及び電動フェーダ１７は、ミキサ本体２の操作パネルに設けられたユーザインターフェースである。表示部１５は、例えば液晶ディスプレイ等の表示器で構成され、ＣＰＵ１０からＣＰＵバス１９を介して与えられた表示制御信号に基づき各種情報を表示する。パネル操作子１６は操作パネルに設けられた種々の操作子である。電動フェーダ１７は、ツマミ部を直線的にスライド操作する操作子であり、オペレータが手動操作でき、且つ、ＣＰＵ１０から与えられる駆動制御信号に基づいてツマミ部の操作位置が自動制御される。ミキサ本体２のオペレータは、表示部１５、パネル操作子１６及び電動フェーダ１７を用いて、ミキサ本体２におけるミキシングエンンジン機能（オーディオ信号処理）に対する制御や、各Ｉ／Ｏ装置３〜６に対するリモート制御を含むミキシングシステム１全体の動作の制御するコンソール操作（デバイス制御操作）を行う。すなわち、表示部１５、パネル操作子１６及び電動フェーダ１７がオペレータ操作部に相当する。
【００２４】
オーディオＩ／Ｏ１２は、複数チャンネル分のオーディオ信号（音響信号）の入出力部であり、アナログオーディオ信号やデジタルオーディオ信号を外部機器から入力する複数の入力ポート、アナログオーディオ信号やデジタルオーディオ信号を外部機器へ出力する複数の出力ポートを含む。
【００２５】
オーディオネットワークＩ／Ｏ１３は、ミキサ本体２をオーディオネットワークに接続するインターフェースであり、後述する伝送フレームを用いて複数のオーディオ信号及び制御データを通信するために必要な能力を有する。オーディオネットワークＩ／Ｏ１３は、例えばイーサネット（登録商標）規格に準拠するインターフェースなど、どのような端子形状及び通信方式でデータ通信を行うインターフェースで構成されてもよい。この実施例では、オーディオネットワークＩ／Ｏ１３が、送信インターフェースと受信インターフェースの組を２組具備するものとする。オーディオネットワークＩ／Ｏ１３を示すブロックに添えられた４つの矢印は伝送フレームの送受信を示す。
【００２６】
ＰＣ＿Ｉ／Ｏ１４は、ミキサ本体２にＰＣ７を接続するインターフェースであり、例えばＵＳＢ（Universal Serial Bus）端子やイーサネット（登録商標）規格に準拠するインターフェースなどで構成される。
【００２７】
ＤＳＰ部１８は、ＣＰＵ１０から与えられた制御データに基づきマイクロプログラムを実行し、メモリ１１のカレントメモリに記憶されたカレントデータ（パラメータの値）に基づいて、複数チャンネルのデジタルオーディオ信号（波形データ）に対して、サンプリング周期毎に、デジタル信号処理を行う。ＤＳＰ部１８は、１つのＤＳＰ（Digital Signal Processor）で構成してもよいし、バスで相互接続された複数のＤＳＰで構成し、複数のＤＳＰで信号処理を分散処理するようにしてもよい。
【００２８】
オーディオバス２０は、オーディオＩ／Ｏ１２、オーディオネットワークＩ／Ｏ１３及びＤＳＰ部１８の間で、複数チャンネルのデジタルオーディオ信号（波形データ）を、サンプリング周期毎に、１サンプルずつ時分割伝送するローカルバスである。オーディオＩ／Ｏ１２、オーディオネットワークＩ／Ｏ１３及びＤＳＰ部１８は、ワードクロックを用いた周知の技術により、波形データを処理するタイミングを同期する。具体的には、いずれか１つがワードクロックマスタとなり該マスタ以外はスレーブとなり、スレーブはマスタが発生するワードクロックに同期したタイミングでワードクロックを生成し、該ワードクロックに基づくサンプリング周期のタイミングで波形データを処理する。
【００２９】
図３は、Ｉ／Ｏ装置の電気的ハードウェア構成を説明するブロック図である。Ｉ／Ｏ装置は、ＣＰＵ２１、メモリ（ＲＯＭ／ＲＡＭ）２２、オーディオＩ／Ｏ２３、オーディオネットワークＩ／Ｏ２４、ＰＣ＿Ｉ／Ｏ２５及び、簡易オペレータインターフェース（簡易ＵＩ）２６を含み、各部がＣＰＵバス２７を介して接続される。また、オーディオＩ／Ｏ２３とオーディオネットワークＩ／Ｏ２４はオーディオバス２８を介して接続される。
【００３０】
ＣＰＵ２１は、メモリ２２に記憶された制御プログラムを実行してＩ／Ｏ装置の動作を制御する。メモリ２２には、ネットワーク経由の通信及びリモート制御を受けるために必要な各種データや、Ｉ／Ｏ装置の動作を制御するカレントデータや、後述のシーン機能に用いるシーンデータ等が記憶される。
【００３１】
オーディオＩ／Ｏ２３は、ミキサ本体２のオーディオＩ／Ｏ１２と同様な複数チャンネル分のオーディオ信号の入出力部であり、オーディオカードを装着する複数のカードスロットと、モニタ用出力ポートから構成される。モニタ用出力ポートは、当該Ｉ／Ｏ装置で入出力するオーディオ信号をスタッフがモニタ（検聴）するために用いるポートであって、ＤＡ（デジタル・アナログ）変換部と、モニタ出力端子（例えばヘッドフォン端子）を含む。本明細書では、Ｉ／Ｏ装置のモニタ用出力ポートを用いたモニタ機能を、ミキサ本体２でオペレータが行うメインのモニタ機能と区別して、「ローカルモニタ」機能と呼ぶ。
【００３２】
カードスロットに装着されるオーディオカードには、アナログオーディオ信号入力用のアナログ入力カード、アナログオーディオ信号出力用のアナログ出力カード、或いは、デジタルオーディオ信号入出力用のデジタル入出力カードがある。
【００３３】
アナログ入力カードはアナログオーディオ信号用の複数の入力ポートを備える。アナログオーディオ信号用の各入力ポートは、それぞれ、外部からアナログオーディオ信号を入力するアナログ入力端子と、ＡＤ（アナログ・デジタル）変換部と、入力パラメータに基づいてオーディオ信号の特性を調整するパラメータ制御部を含む。
アナログ出力カードはアナログオーディオ信号用の複数の出力ポートを備える。各出力ポートは、それぞれ、ＤＡ（デジタル・アナログ）変換部と、外部からアナログオーディオ信号を出力するアナログ出力端子と、出力パラメータに基づいてオーディオ信号の特性を調整するパラメータ制御部を含む。
また、デジタル入出力カードは、デジタルオーディオ信号用の複数の入力ポート及び複数の出力ポートを備え、外部のデジタル音響機器との間で複数のデジタルオーディオ信号を入出力するデジタル入出力端子と、デジタルオーディオ信号のフォーマット変換（ＤＤ変換（デジタル・デジタル変換））部と、入力パラメータ又は出力パラメータに基づいてオーディオ信号の特性を調整するパラメータ制御部を含む。
【００３４】
オーディオＩ／Ｏ２３がカードスロットにオーディオカードを装着する構成であるため、各Ｉ／Ｏ装置３〜６におけるポート構成（装置に搭載されるポートの種類（アナログ入力ポート、アナログ出力ポート又はデジタル入出力ポート）や、ポート数等）は、カードスロットに装着されるオーディオカードの数及び種類に応じて決まる。
【００３５】
オーディオネットワークＩ／Ｏ２４は、前述したミキサ本体２のオーディオネットワークＩ／Ｏ１３と同様な、当該Ｉ／Ｏ装置をオーディオネットワークに接続するインターフェースである。また、ＰＣ＿Ｉ／Ｏ２５は、前述したミキサ本体２のＰＣ＿Ｉ／Ｏ１４と同様な、当該Ｉ／Ｏ装置にＰＣ７を接続するインターフェースである。
【００３６】
簡易ＵＩ２６は当該Ｉ／Ｏ装置においてスタッフの操作を受け付けるスタッフ操作部である。スタッフは簡易ＵＩ２６を用いてパラメータ制御操作及びポート選択操作を行う。
図４は、簡易ＵＩ２６の操作パネル構成例を示す。簡易ＵＩ２６は、表示部３０と、カーソルキー３１と、回転型操作子３２を備える。表示部３０は、当該Ｉ／Ｏ装置のオーディオＩ／Ｏ２３に備わる複数のポートのうち、スタッフにより選択された１つのポートを特定する情報を表示する。表示部３０に表示中の入力ポート又は出力ポートが、当該Ｉ／Ｏ装置におけるローカルモニタ機能の対象となる。
【００３７】
表示部３０に表示されるポートを特定する情報は、例えば、スロット番号とポート番号と、当該ポートが入力ポート及び出力ポートのいずれであるかを示す情報とである。スロット番号は当該Ｉ／Ｏ装置のオーディオＩ／Ｏ２３に備わる複数のカードスロットのそれぞれに固有の番号であり、ポート番号は１つのオーディオカードに備わる複数のポートのそれぞれに固有の番号である。
【００３８】
スタッフは、カーソルキー３１及び回転型操作子３２を用いたポート選択操作により、表示部３０に表示されたスロット番号又はポート番号を選択し、選択したスロット番号又はポート番号の値を変更することで、表示部３０に表示する１つの入力ポート又は出力ポートを選択できる。当該Ｉ／Ｏ装置のＣＰＵ２１は、スタッフのポート選択操作により選択された入力ポート又は出力ポートを特定し、その入力ポート又は出力ポートの情報を、表示部３０に表示する。なお、スタッフにより新たに選択されたスロット番号及びポート番号に対応するポートが存在しない場合、その旨を表示部３０に表示する。カーソルキー３１及び回転型操作子３２がスタッフ操作部に該当する。
【００３９】
表示部３０には、また、現在表示中の入力ポート又は出力ポートのパラメータ（入力ポートパラメータ又は出力ポートパラメータ）の値と、ローカルモニタ機能によりスタッフがオーディオ信号をモニタするときの音量レベル（ローカルモニタレベル）の値も表示できる。スタッフは、カーソルキー３１及び回転型操作子３２を用いたパラメータ制御操作により、これらパラメータの値を調整できる。
【００４０】
なお、簡易ＵＩ２６は、図４に示す構成に限定されず、少なくとも、ローカルモニタ機能の対象となるポートの選択操作と、ポート毎のパラメータの値の調整ができれば、どのような構成でもよい。
【００４１】
ミキシングシステム１の各装置２〜６は、オーディオネットワークにより互いに接続され、図１において破線で示すように伝送フレーム８を循環させるリング状の伝送路を形成する。この実施例では、オーディオネットワークＩ／Ｏ１３，２４が２組の送受信インターフェースを有する構成であるため、伝送フレーム８の伝送路を２重化できる。
オーディオネットワークは、例えば特開２００８‐９９２６４号公報に開示された周知の伝送方式により、デジタルオーディオ信号（波形データ）及びリモート制御用の制御データを含む各種データを「伝送フレーム」単位で伝送するネットワークであり。オーディオ信号及びリモート制御用の制御データを含む各種データを、伝送フレーム８の形式で伝送する。
【００４２】
図５（ａ）は、伝送フレーム８のデータ構成例を示す。図５（ａ）において、図面左側が伝送フレーム８の伝送方向の前方となる。伝送フレーム８は、プリアンブル４０、管理データ（ＣＤ）領域４１、複数チャンネルのオーディオ信号を記憶可能な音響信号領域４２、イーサネット（登録商標）データ（ethernet）領域４３、ＩＴＰ領域４４、メータ領域４５、ネットワーク構成データ（ＮＣ）領域４６、及び、フレームチェックシークエンス（ＦＣＳ）領域４７から構成される。
【００４３】
プリアンブル４０には、ＩＥＥＥ（Institute of Electrical and Electronic Engineers）８０２．３で規定されるプリアンブル、ＳＦＤ（Start Frame Delimiter）、宛先アドレス、送信元アドレス、及び当該伝送フレームの長さ（データサイズ）等が含まれる。また、管理データ領域４１には、当該伝送フレームに含まれるデータを管理するために、ネットワークに接続された各装置が利用するデータ（伝送フレームの番号やサンプル）の遅れ値などが含まれる。
【００４４】
音響信号領域４２は、オーディオ信号を伝送するために使用される領域であって、所定の複数の伝送チャンネル（例えば２５６ｃｈ）を有し、複数の伝送ｃｈに所定のサンプリング周波数でサンプリングされた複数ｃｈのデジタルオーディオ信号（波形データ）を格納できる。１つの伝送フレーム８の１つの伝送ｃｈに、１ｃｈの波形データが１サンプルずつ格納される。
【００４５】
イーサネット（登録商標）領域４３には、ミキサ本体２（制御装置）におけるオペレータ操作に応じたリモート制御用の制御データ等が含まれる。ＩＴＰ領域４４はネットワーク通信用の各種データを記憶する。メータ領域４５はレベル表示メータ用のデータを記憶する。ネットワーク構成データ領域４６はミキシングシステム１のネットワーク構成を示すデータを格納する。また、フレームチェックシークエンス領域４７は、ＩＥＥＥ８０２．３で規定される、フレームのエラーを検出するデータを格納する。
【００４６】
図５（ｂ）は図１に対応するミキシングシステム１の構成であり、（ｃ）は音響信号領域４２の伝送ｃｈに対する装置の割り当て例を示す。図５（ｂ）及び（ｃ）において、装置と伝送ｃｈの対応付けを説明する便宜上、符号３の第１Ｉ／Ｏ装置をアルファベット文字「Ａ」、符号２のミキサ本体をアルファベット文字「Ｂ」、符号６の第４Ｉ／Ｏ装置をアルファベット文字「Ｃ」、符号４の第２Ｉ／Ｏ装置をアルファベット文字「Ｄ」、また、符号５の第３Ｉ／Ｏ装置をアルファベット文字「Ｅ」でそれぞれ表す。
【００４７】
ミキシングシステム１のいずれか１つの装置がオーディオネットワークのマスタノードとなる。マスタノードは、所定のサンプリング周波数の１サンプリング周期毎に伝送フレーム８を作成し、伝送路の下流へ転送する。マスタノード以外の装置は全てスレーブノードとなり、伝送路の上流から転送された伝送フレーム８を受信しつつ、その伝送フレーム８を先頭側から順次、の下流へ転送する転送処理を行う。図５（ｂ）において、ブロック４内の文字「（Ｍ）」は当該Ｉ／Ｏ装置４がマスタノードであることを示し、また、ブロック２，３内の文字列「（ＬＢ）」は、それぞれ当該Ｉ／Ｏ装置がループバック（ＬＢ）、すなわち伝送フレーム８の伝送路の折り返し端であることを示す。
マスタノード（Ｉ／Ｏ装置４（「Ｄ」））で作成された伝送フレームは、１サンプリング周期毎に、各装置２〜６の間を、Ｄ→Ｅ→Ｄ→Ｃ→Ｂ→Ａ→Ｂ→Ｃ→Ｄの順に循環する。１つの伝送フレームのサイズを、サンプリング周期や、オーディオネットワークの通信速度（伝送帯域幅）等の条件に基づき適切に設定することで、伝送フレーム８は、１サンプリング周期内に、システム１内の全装置２〜６間を１巡しうる。伝送フレーム８が、１サンプリング周期毎に、装置２〜６の間を循環することにより、所定の複数の伝送チャンネル（例えば２５６チャンネル）分の波形データを含む各種データを、各装置２〜６の間で略リアルタイムで伝送することができる。
【００４８】
各装置２〜６のオーディオネットワークＩ／Ｏ１３、２４は、伝送フレーム８を通過させつつ、その伝送フレーム８に対して、波形データやリモート制御用の制御データ等の読み書きを行う。
すなわち、各装置２〜６のオーディオネットワークＩ／Ｏ１３、２４は、伝送フレーム８の音響信号領域４２以下のデータを読み書きすべき領域が到達し始めたら、その伝送フレーム８について波形データ等の読み出し及び書き込みを開始し、波形データ等の読み出し及び書き込みに並行して、その伝送フレーム８を順次、下流の装置へ転送する。マスタノードは、ネットワークを一巡した伝送フレーム８の終端まで受信してから、次の伝送フレーム８の作成及び送信を開始するのが好ましい。ネットワーク上のいずれの装置から伝送フレーム８に書き込まれたデータであっても、その伝送フレーム８が当該データを書き込んだ装置に戻ってくるまでには、ネットワーク上の全ての装置を通過するので、いずれの装置によって書き込まれたデータであっても全ての装置に伝送される。なお、ループバック以外の装置は、伝送フレーム８を往路と復路の２度通過させることになるが、波形データ等の読み出し及び書き込みを行うのは、例えば伝送フレーム８を最初に通過させるときなど、いずれか１度の機会のみでよい。
【００４９】
図５（ｃ）において、アルファベット文字Ａ，Ｂ，Ｃ及びＤが示された各区間は、そのアルファベット文字に対応する装置２〜６に割り当てられた伝送ｃｈを表している。各区間の大きさは伝送ｃｈ数を表す。
各装置２〜６は、例えばその装置がオーディオネットワークに参加したときに、その装置で必要な数の伝送ｃｈを確保する。「その装置で必要な数」とは、その装置からオーディオネットワーク上に送信するオーディオ信号の数（例えば或るＩ／Ｏ装置のオーディオＩ／Ｏ２３が有する入力ポート数）に対応する数である。各装置２〜６は、マスタノードの管理の下、いずれの装置にも割り当てられていない伝送ｃｈ（空きｃｈ）の中から、その装置で必要な数の伝送ｃｈを確保する。オーディオネットワークに参加している装置であっても、波形データの書き込みを行わない装置には伝送ｃｈを割り当てない。例えば図５（ｃ）では、第３Ｉ／Ｏ装置５（アルファベット文字「Ｅ」）には伝送ｃｈを割り当てていない。
【００５０】
各装置２〜６のオーディオネットワークＩ／Ｏ１３，２４は、伝送フレーム８を通過させつつ、その装置に割り当てられた各伝送ｃｈに１つずつ波形データを書き込む。伝送ｃｈに対する波形データの書き込みは、その伝送ｃｈを確保した装置のみが排他的に行う。例えば第１Ｉ／Ｏ装置３（図５（ｂ）において「Ａ」）は、音響信号領域４２中の区間Ａに属する複数の伝送ｃｈに対して波形データを書き込むことができ、他の装置は区間Ａに属するいずれの伝送ｃｈに対しても波形データを書き込むことはできない。
また、各装置２〜６のオーディオネットワークＩ／Ｏ１３，２４は、伝送フレーム８を通過させつつ伝送ｃｈから波形データを読み出す。例えば、第１Ｉ／Ｏ装置３（図５（ｂ）において「Ａ」）から送信された或る波形データを、ミキサ本体２（図５（ｂ）において「Ｂ」）で受信する場合には、ミキサ本体２は、音響信号領域４２中の区間Ａに該当する１つの伝送ｃｈから波形データを読み出す。
【００５１】
オーディオネットワークのマスタノードは、また、ミキシングシステム１内の各装置２〜６において波形データを処理するサンプリング周期のタイミングを同期させるワードクロックのワードクロックマスタである。スレーブノードは、１つの伝送フレーム８の受信を開始したタイミングに同期して、波形データを処理するサンプリング周期を規定する信号であるワードクロックを発生することで、波形データの処理タイミングを、マスタノードにおけるサンプリング周期（ワードクロック）のタイミングに同期させる。
【００５２】
なお、音響信号領域４２における伝送ｃｈ数は、音響信号領域４２のサイズ及び波形データのビット数に応じて決定される有限の複数である。音響信号領域４２のサイズが同じ場合、波形データのビット数を少なくすれば、オーディオ信号の精度は落ちることになるが、伝送チャンネル数はより多く用意できる。また、本実施例に示すミキシングシステムに適用するネットワーク経由の伝送フレームの伝送方式は、例えば特開２００８‐９９２６４号公報に開示された技術により行うことができる。当該文献に開示された伝送フレームのサイズやネットワークの仕様等の各種技術的事項は、本実施例にも適用可能であるより、前記文献に開示された内容の全体が盛り込まれたものとする。
【００５３】
図６は、図１に示すミキシングシステム１においてミキサ本体２及びＩ／Ｏ装置３〜６が協働して実現するオーディオ信号処理（ミキシング処理）の構成を説明するブロック図である。図６において、オーディオネットワーク５０経由のオーディオ信号の流れを点線矢印で示し、各装置２〜６内のオーディオバス２０，２８におけるオーディオ信号の流れを実線矢印で示した。また、１つの装置内の信号処理構成要素を装置毎に破線で囲んだ。また、信号処理構成要素を示す各ブロック内に記載した名称（文字列）に下線を付けたものは、ミキサ本体２におけるオペレータの操作（コンソール操作）に応じて、パラメータの値が制御される。なお、以下の説明で「パッチ」とは、オーディオ信号の供給元に供給先を割り当てる（接続する）ことである。
【００５４】
第１Ｉ／Ｏ装置３（♯１Ｉ／Ｏ）、第２Ｉ／Ｏ装置４（♯２Ｉ／Ｏ）及び第４Ｉ／Ｏ装置６（♯４Ｉ／Ｏ）はオーディオ信号の入力装置として機能する。入力ポート５１、５２及び５３には、例えばマイク、電子楽器、或いは、音楽再生装置等のアナログオーディオ信号の入力源となる機材が接続される。
Ｉ／Ｏ装置３、４及び６は、それぞれ、外部から各入力ポート５１、５２及び５３に入力されたオーディオ信号（波形データ）をパッチ５４，５５及び５６により１つの伝送ｃｈに供給して、伝送ｃｈに供給された波形データを、図示外のオーディオネットワークＩ／Ｏ２４により、オーディオネットワーク５０経由でミキサ本体２に送信する。Ｉ／Ｏ装置の信号処理構成の詳細は図７を参照して後述する。
【００５５】
ミキサ本体２のＣＰＵ１０は、メモリ１１に記憶された受信パラメータに応じて、図示外のオーディオネットワークＩ／Ｏ１３に、当該ミキサ本体２で受信すべき伝送ｃｈ毎に受信ポートを設定し、設定した受信ポートから当該ミキサ本体２で受信すべきオーディオ信号（波形データ）、つまりＩ／Ｏ装置３、４及び６からミキサ本体２に送信されたオーディオ信号を、選択的に受信する。このオーディオネットワークＩ／Ｏ１３の動作が第２受信部に該当する。入力パッチ５７は、メモリ１１に記憶された入力パッチパラメータに応じて、前記受信ポートから受信している波形データをそれぞれ、入力チャンネル部５８の１つの入力ｃｈに供給する。また、入力パッチ５７は、メモリ１１に記憶された入力パッチパラメータに応じて、ミキサ本体２のローカルの入力ポート６３（Ａｉ（ｌｏ））に入力されたオーディオ信号（波形データ）を１つの入力ｃｈに供給できる。ローカルの入力ポート６３は、図２のオーディオＩ／Ｏ１２に複数備わる入力ポートに相当する。
【００５６】
入力チャンネル部５８、混合バス５９、ＣＵＥバス６０及び出力チャンネル部６１は、ＤＳＰ１８（図２参照）が実行するマイクロプログラムにより実現される。
入力ｃｈ部５８は、複数の入力ｃｈを有し、メモリ１１に記憶された入力チャンネルパラメータに応じて、各入力ｃｈ毎に、入力された波形データに対して、レベル調整、イコライジング、エフェクト付与等の信号処理を行い、該処理済みの波形データを混合バス５９に出力する。混合バス５９は、複数のバスラインからなり、各バスライン毎に、１又は複数の入力ｃｈ５８から供給された波形データを混合して、混合した結果を出力ｃｈ部６１へ出力する。出力ｃｈ部６１は、各バスラインに対応する複数の出力ｃｈを有しており、メモリ１１に記憶された出力チャンネルパラメータに応じて、混合バス５９から出力された波形データに対して、出力ｃｈ毎に、レベル調整、イコライジング、エフェクト付与等の信号処理を行う。
【００５７】
出力パッチ６２は、メモリ１１に記憶された出力パッチパラメータに応じて、各出力ｃｈ６１の出力する波形データをそれぞれ、図示外のオーディオネットワークＩ／Ｏ１３に設定された送信ポートに供給する。ミキサ本体２のＣＰＵ１０は、メモリ１１に記憶された送信パラメータに応じて、オーディオネットワークＩ／Ｏ１３に当該ミキサ本体２にて確保した伝送ｃｈ毎に送信ポートを設定して、出力パッチ６２により各送信ポートに供給された波形データを、サンプリング周期毎に、オーディオネットワーク５０に送信する。このオーディオネットワークＩ／Ｏ１３の動作が第２送信部に該当する。また、ミキサ本体２はまたローカルの出力ポート６４（Ａｏ（ｌｏ））を有しており、メモリ１１に記憶された出力パッチパラメータに応じて、出力パッチ６２により出力ｃｈ６１の波形データをローカルの出力ポート６４に供給することもできる。ローカルの出力ポート６４は図２のオーディオネットワークＩ／Ｏ１３に複数備わる出力ポートに相当する。
【００５８】
第１Ｉ／Ｏ装置３（♯１Ｉ／Ｏ）、第３Ｉ／Ｏ装置５（♯２Ｉ／Ｏ）及び第４Ｉ／Ｏ装置６（♯４Ｉ／Ｏ）はオーディオ信号の出力装置として機能する。Ｉ／Ｏ装置３，５及び６は、それぞれ、図示外のオーディオネットワークＩ／Ｏ２４により、ミキサ本体２から送信された波形データを選択的に受信して、受信した各オーディオ信号をパッチ６５，６６及び６７により１つの出力ポート６８，６９及び７０（「Ａｏ（♯１）」）、「Ａｏ（♯３）」、及び「Ａｏ（♯４）」）に供給する。Ｉ／Ｏ装置３、５及び６の各出力信号がこのミキシングシステム１のメイン出力となる。出力ポート６８，６９及び７０には、アンプ及びスピーカや、エフェクタや、レコーダ等の、アナログオーディオ信号の出力先となる機材が接続される。
【００５９】
ここで、パッチ設定に関して説明する。ミキサ本体２の入力パッチ５７及び出力パッチ６２、並びに、各Ｉ／Ｏ装置２〜６内の各パッチ５４，５５，５６，６５，６６，及び６７は、それぞれ、その装置のオーディオバス２０，２８をＣＰＵ１０，２１の制御に基づいてパッチとして動作させる構成でもよいし、オーディオネットワークＩ／Ｏ１３、２４内にパッチ用のハードウェアを設ける構成でもよい。
オペレータは、ミキサ本体２においてパッチ設定操作を行い、任意の信号供給元から任意の信号供給先へのパッチ設定（例えば、任意のＩ／Ｏ装置の１つの入力ポート５２とミキサ本体２の任意の入力ｃｈ５８を接続するパッチ設定等）を行うことができる。ミキサ本体２のＣＰＵ１０は、パッチ設定操作に応じて、各装置２〜６のメモリ１１，２２にパッチパラメータ（前記入力パッチパラメータ、前記出力パッチパラメータ、前記受信パラメータ、及び前記送信パラメータを含む）を設定して、各装置２〜６のパッチ動作を制御する。全てのパッチ設定の内容は、全ての装置２〜６に通知されるものとする。
【００６０】
図６に戻ると、ＣＵＥバス６０には、入力ｃｈ部５８及び出力ｃｈ部６１の各ｃｈのうち、ＣＵＥオンオフパラメータがオンに設定されたｃｈのオーディオ信号がミキサ本体２におけるメインのＣＵＥ機能の対象（ＣＵＥ信号）として供給され、供給されたＣＵＥ信号をモニタｃｈ部７２（Ｍｃｈ（ＳＴ））へ出力する。ＣＵＥオンオフパラメータは、入力ｃｈ部５８及び出力ｃｈ部６１の各ｃｈのＣＵＥ機能（キュー機能）をオン・オフするパラメータである。
【００６１】
モニタミキサ部７１（ＭＭｉｘ（ＳＴ））は、入力パッチ５７の出力及び出力ｃｈ部６１の出力に接続されており、オペレータのモニタ選択操作によってモニタ機能の対象（モニタ信号）に選択された１又は複数のオーディオ信号を、２ｃｈステレオ構成のモニタ用オーディオ信号としてモニタｃｈ部７２へ出力する。ミキサ本体２におけるモニタ機能の対象となるのは、入力パッチ５７及び出力ｃｈ部６１の出力信号、すなわちミキサ本体２に入力されているオーディオ信号である。
【００６２】
モニタｃｈ部７２は、モニタミキサ部７１から出力されたモニタ信号又はＣＵＥバス６０から出力されたＣＵＥ信号のパラメータ（例えばモニタ出力レベル等）をオペレータの操作により制御して、該制御したモニタ信号又はＣＵＥ信号をモニタ出力部７３に出力する。モニタｃｈ部７２は、ＣＵＥ信号がないとき（いずれのｃｈのＣＵＥオンオフパラメータもオフのとき）はモニタ用オーディオ信号をモニタ出力部７３に出力し、他方、ＣＵＥ信号があるときは（いずれかのｃｈのＣＵＥオンオフパラメータがオンのとき）、モニタミキサ部７１からのモニタ用オーディオ信号をオフ又は減衰して、ＣＵＥ信号をモニタ出力部７３に出力する。
また、モニタｃｈ部７２は、その出力信号（モニタ信号又はＣＵＥ信号）を適宜遅延して、当該出力信号（モニタ信号又はＣＵＥ信号）と、ミキシングシステム１のメイン出力との間の時間差を補正する処理も行う。
【００６３】
モニタ出力部７３は、ミキサ本体２のオーディオＩ／Ｏ１２に備わるモニタ出力ポートであり、ＤＡ変換部や、モニタ信号又はＣＵＥ信号の出力先となる機材が接続される出力端子（ヘッドフォン端子や、モニタスピーカ用端子）を含む。ミキサ本体２のオペレータは、モニタ出力部７３から出力されるモニタ信号又はＣＵＥ信号を、メイン出力（出力ポート６８，６９及び７０）に係るミキシング処理に影響を与えることなく、モニタできる。
【００６４】
図７は、図６に示すＩ／Ｏ装置３〜６の信号処理構成を詳細に説明するブロック図である。信号処理構成要素を示す各ブロック内に記載した名称（文字列）に下線を付けたものは、ミキサ本体２（制御装置）におけるオペレータの操作に応じてパラメータの値がリモート制御される。なお、図７では、１つのＩ／Ｏ装置が入力ポート７４及び出力ポート８０の両方を具備する構成を示しているが、１つのＩ／Ｏ装置が入力ポート７４又は出力ポート８０いずれか一方のみを具備する構成もありうる。
【００６５】
入力ポート７４は、図６の入力ポート５１、５２及び５３に対応しており、図３のオーディオＩ／Ｏ２３に複数備わる入力ポートに相当する。入力ポート７４は、外部からオーディオ信号を入力して、当該Ｉ／Ｏ装置のメモリ２２に記憶された入力パラメータに応じて、入力されたオーディオ信号（波形データ）の音特性を調整する。入力パラメータは、例えば入力されるオーディオ信号の入力レベル調整（ゲイン）や、位相切替等である。この入力パラメータは、当該Ｉ／Ｏ装置の簡易ＵＩ２６を用いたスタッフのパラメータ制御操作により調整できるし、また、ミキサ本体２（制御装置）からのリモート制御も受ける。
パッチ７５は、図５のパッチ５４，５５及び５６に対応しており、入力ポート７４に入力されているオーディオ信号（波形データ）を、オーディオネットワークＩ／Ｏ７６（ＡＮｅｔ＿Ｉ／Ｏ）の１つの送信ポート７７に供給する。オーディオネットワークＩ／Ｏ７６は図３のオーディオネットワークＩ／Ｏ２４に相当するもので、当該Ｉ／Ｏ装置のＣＰＵ２１は、当該Ｉ／Ｏ装置で確保した各伝送ｃｈに対応して送信ポート７７を設定する。パッチ７５により送信ポート７７に供給された波形データは、サンプリング周期毎に、当該送信ポート７７に対応する伝送ｃｈに載せてオーディオネットワーク５０に送信される。送信ポート７７が第１送信部として機能する。
【００６６】
Ｉ／Ｏ装置のＣＰＵ２１は、また、オーディオネットワークＩ／Ｏ７６に対して、当該Ｉ／Ｏ装置で受信すべき伝送ｃｈのそれぞれに対応して受信ポート７８を設定する。受信ポート７８の設定は、当該Ｉ／Ｏ装置のいずれか１の出力ポート８０にミキサ本体２の出力ｃｈ６１を接続するパッチ設定が行われたときに行われる。受信ポート７８は、対応する伝送ｃｈのオーディオ信号（波形データ）を、サンプリング周期毎に、オーディオネットワーク５０から受信する。受信ポート７８が第１受信部として機能する。パッチ７９は、図６のパッチ６５，６６及び６７に対応しており、各受信ポート７８において受信した波形データをそれぞれ１つの出力ポート８０に供給する。
出力ポート８０は、図６の出力ポート６８、６９及び７０に対応しており、図３のオーディオＩ／Ｏ２３に複数備わる出力ポートに相当する。出力ポート８０は、当該Ｉ／Ｏ装置のメモリ２２に記憶された出力パラメータに応じて、オーディオ信号（波形データ）の特性を調整して、外部へ出力する。出力パラメータは、例えばオーディオ信号の出力レベル調整や、イコライザ等である。出力ポート８０の出力パラメータは、当該Ｉ／Ｏ装置の簡易ＵＩ２６を用いたスタッフのパラメータ制御操作に応じて制御できるし、また、ミキサ本体２（制御装置）によるリモート制御も受ける。
【００６７】
Ｉ／Ｏ装置内にパッチ７５，７９を具備する構成であるため、入力ポート７４から送信ポート７７（伝送ｃｈ）への接続、及び、受信ポート７８（伝送ｃｈ）から出力ポート８０への接続は、オペレータのパッチ設定操作に応じて変更できる。すなわち、パッチ７５，７９、送信ポート７７及び受信ポート７８は、ミキサ本体２におけるオペレータのパッチ設定操作に応じたリモート制御を受ける。
なお、Ｉ／Ｏ装置内にパッチ７５，７９を設けず、入力ポート７４から送信ポート７７（伝送ｃｈ）への接続、及び、受信ポート７８（伝送ｃｈ）から出力ポート８０への接続を固定にする構成であってもよい。また、入力側のパッチ７５又は出力側のパッチ７９のいずれか一方のみを設ける構成でもよい。
【００６８】
Ｉ／Ｏ装置は、モニタポート選択部８１（ＳＥＬ）とローカルモニタ出力部８２（ＭＡｏ）を具備している。モニタポート選択部８１は、スタッフのポート選択操作に応じて１つの入力ポート７４又は出力ポート８０の出力信号を選択して、ローカルモニタ出力部８２に供給する。モニタポート選択部８１は、そのＩ／Ｏ装置のオーディオバス２８を当該選択部として動作させてもよいし、オーディオＩ／Ｏ２３内に当該選択部のハードウェアを設ける構成でもよい。当該Ｉ／Ｏ装置のＣＰＵ２１は、スタッフのポート選択操作に応じてポート選択パラメータ（１つの入力ポート又は出力ポートを指定するデータ）を当該Ｉ／Ｏ装置のメモリ２２に設定して、モニタポート選択部８１の選択動作を制御する。モニタポート選択部８１とローカルモニタ出力部８２がモニタ出力部に該当する。
【００６９】
スタッフは、前述の通り当該Ｉ／Ｏ装置の簡易ＵＩ２６（図４の表示部３０、カーソルキー３１及び回転型操作子３２）を用いたポート選択操作により「スロット番号」と「ポート番号」を指定することで１の入力ポート又は出力ポートを選択できる。スタッフのポート選択操作により１つの入力ポートが選択された場合、モニタポート選択部８１は、その入力ポート７４に入力され、該入力ポート７４で位相や入力レベルが制御されたオーディオ信号を、ローカルモニタ出力部８２に供給する。また、スタッフ選択操作により１つの出力ポートが選択された場合、モニタポート選択部８１は、その出力ポート８０に供給され、該出力ポート８０で出力レベルやイコライザ等が制御されたオーディオ信号を、ローカルモニタ出力部８２に供給する。
モニタポート選択部８１に選択されローカルモニタ出力部８２に供給されるオーディオ信号はデジタルオーディオ信号とする。すなわち、モニタポート選択部８１は、アナログ入力ポートが選択された場合には、デジタル変換されたデジタルオーディオ信号をローカルモニタ出力部８２に供給し、また、アナログ出力ポートが選択された場合には、アナログ変換前のデジタルオーディオ信号をローカルモニタ出力部８２に供給する。
【００７０】
ローカルモニタ出力部８２は、当該Ｉ／Ｏ装置のオーディオＩ／Ｏ２３に備わるモニタ出力ポートに相当しており、モニタポート選択部８１から供給されたデジタルオーディオ信号を当該Ｉ／Ｏ装置のメモリ２２に記憶されたローカルモニタレベルパラメータに応じてレベル制御して、アナログオーディオ信号に変換して出力する。
【００７１】
モニタポート選択部８１及びローカルモニタ出力部８２のパラメータ、すなわちローカルモニタ機能は、入力ポート７４の入力パラメータ及び入力ポート７４の出力パラメータとは違い、当該Ｉ／Ｏ装置の簡易ＵＩ２６を用いたスタッフの操作によってのみパラメータが変更されるローカル機能であり、ミキサ本体２からのリモート制御を受けない。
Ｉ／Ｏ装置のローカル機能としてローカルモニタ（モニタポート選択部８１及びローカルモニタ出力部８２）を有しているので、Ｉ／Ｏ装置のスタッフは、制御装置におけるオペレータの操作とは無関係に、そのＩ／Ｏ装置が有する複数の入力ポート又は複数の出力ポートの１つをローカルモニタ出力部８２にてモニタ（検聴）し、且つ、当該Ｉ／Ｏ装置の簡易ＵＩ２６を使って当該モニタ中のオーディオ信号のパラメータ（入力パラメータ又は出力パラメータ）を調整できる。
【００７２】
図８は、ミキサ本体２のメモリ１１に設けられたカレントメモリ８３とシーンメモリ８４、及び、Ｉ／Ｏ装置（図の例では第２Ｉ／Ｏ装置４）のメモリ２２に設けられたカレントメモリ８５とシーンメモリ８６の構成例を示す。
【００７３】
ミキサ本体２のカレントメモリ８３には、ミキシングシステム１の全装置の動作を制御するために必要なカレントデータが記憶されている。このカレントデータには、大別してリコール範囲内のカレントデータＣＤａｌｌとリコール範囲外のカレントデータＣＤαがある。リコール範囲内のカレントデータＣＤａｌｌは、シーンリコールに際してリコールされる。リコール範囲外のカレントデータＣＤαはシーンリコールに際してリコールされない。
【００７４】
リコール範囲内のカレントデータＣＤａｌｌには、当該ミキサ本体２のカレントデータＣＤｃｅと、４つのＩ／Ｏ装置３〜６のカレントデータＣＤｉｏ１、ＣＤｉｏ２、ＣＤｉｏ３、及びＣＤｉｏ４が含まれる。ミキサ本体２のカレントデータＣＤｃｅは、当該ミキサ本体２が実行するオーディオ信号処理（図６参照）を制御するマスタパラメータ（図８において当該ブロック内に添え字「Ｍ」を記す）であって、例えば各入力ｃｈ５８の入力ｃｈパラメータや、各出力ｃｈ６１の出力ｃｈパラメータを含む。
カレントデータＣＤａｌｌ中のカレントデータＣＤｉｏ１、ＣＤｉｏ２、ＣＤｉｏ３、及びＣＤｉｏ４は、それぞれ対応するＩ／Ｏ装置３〜６内のカレントメモリ中のマスタパラメータを、当該ミキサ本体２からリモート制御するためのスレーブパラメータ（図８において当該ブロック内に添え字「Ｓ」を記す）である。ミキサ本体２のカレントメモリ８３に各Ｉ／Ｏ装置のカレントデータＣＤｉｏ１、ＣＤｉｏ２、ＣＤｉｏ３、及びＣＤｉｏ４のスレーブパラメータがあるので、オペレータは、ミキサ本体２（制御装置）にてこれらパラメータの値を変更できるし、また、表示部１５にて、これらパラメータの値を見ることもできる。
【００７５】
カレントメモリ８３のリコール範囲外のカレントデータＣＤαは、当該ミキサ本体２の動作制御に関するマスタパラメータであって、例えばミキサ本体２の操作パネルに呼び出すチャンネル群を選択する選択レイヤパラメータ、表示部１５に表示する画面を選択する画面選択パラメータ、或いはセレクテッドｃｈ機能の対象となるｃｈを選択する選択ｃｈパラメータ等の操作パネルの作業環境に関するパラメータや、モニタミキサ部７１のモニタ選択パラメータや、ｃｈ毎のＣＵＥオンオフパラメータ等のモニタ機能に関するパラメータなどである。
【００７６】
リコール範囲外のカレントデータＣＤαには、また、ＯＬＥ（ｏｐｅｒａｔｏｒ  ｌｏｃｋ  ｅｎａｂｌｅ）パラメータのマスタパラメータが含まれる。ＯＬＥパラメータは、各Ｉ／Ｏ装置３〜６の簡易ＵＩ２６を用いたスタッフのパラメータ制御操作を、必要に応じてロックする機能をオン・オフするパラメータである。ミキサ本体２のオペレータは、ミキサ本体２からＯＬＥパラメータの値（有効「ＯＬＥ＝１」及び無効「ＯＬＥ＝０」のいずれか）を設定できる。
【００７７】
Ｉ／Ｏ装置のカレントメモリ８５（図では１例として第２Ｉ／Ｏ装置４のカレントメモリ８５）には、当該Ｉ／Ｏ装置の動作を制御するカレントデータとしてリコール範囲内のカレントデータＣＤｉｏ２とリコール範囲外のカレントデータＣＤβが記憶されている。
リコール範囲内のカレントデータＣＤｉｏ２は、当該Ｉ／Ｏ装置の動作を制御するマスタパラメータのうち、入力ポート７４の入力パラメータと、出力ポート８０の出力パラメータを含む。カレントメモリ８５中のカレントデータＣＤｉｏ２（マスタパラメータ）は、ミキサ本体２のカレントメモリ８３のカレントデータＣＤａｌｌ中のカレントデータＣＤｉｏ２（スレーブパラメータ）に対応している。Ｉ／Ｏ装置４とミキサ本体２がオンライン状態のとき、カレントメモリ８３中のカレントデータＣＤｉｏ２（スレーブパラメータ）は、Ｉ／Ｏ装置４のカレントメモリ８５中のカレントデータＣＤｉｏ２（マスタパラメータ）に従う。
【００７８】
リコール範囲外のカレントデータＣＤβには、当該Ｉ／Ｏ装置の動作を制御するマスタパラメータのうち、ローカルモニタ機能のパラメータ、すなわちモニタポート選択部８１のポート選択パラメータ及びローカルモニタ出力部８２のローカルモニタレベルパラメータが含まれる。リコール範囲外のカレントデータＣＤβに含まれるローカルモニタ機能のパラメータは、ミキサ本体２のカレントメモリ８３に対応するスレーブデータがないので、オペレータは、ミキサ本体２（制御装置）にて、ローカルモニタ機能のパラメータをリモート制御することもできないし、表示部１５にて見ることもできない。
【００７９】
Ｉ／Ｏ装置４のカレントメモリ８５中のリコール範囲外のカレントデータＣＤβには、更に、ＯＬＥパラメータのスレーブパラメータが含まれる。ＯＬＥパラメータのスレーブパラメータは、ミキサ本体２のカレントメモリ８３中のＯＬＥパラメータのマスタパラメータに対応しており、Ｉ／Ｏ装置４とミキサ本体２がオンライン状態のとき、Ｉ／Ｏ装置４のカレントメモリ８５中のＯＬＥパラメータ（スレーブパラメータ）は、ミキサ本体２のカレントメモリ８３中のＯＬＥパラメータ（マスタパラメータ）に従う。
【００８０】
なお、他のＩ／Ｏ装置３、５及び６のメモリ２２に設けられた各カレントメモリの構成は、いずれも第２Ｉ／Ｏ装置４のカレントメモリ８５と同様に、そのＩ／Ｏ装置の動作を制御するマスタパラメータを記憶するもので、リコール範囲内のカレントデータとリコール範囲外のカレントデータとを含む。
【００８１】
シーンメモリ８４，８６は、シーン機能に利用するシーンデータを記憶する。シーン機能は、従来から知られる通り、ミキシングシステムの或る動作状態（複数のパラメータの設定）をシーンストア指示に応じてシーンデータとして保存しておき、保存されたシーンデータをシーンリコール指示に応じて一括して再現する機能である。
ミキサ本体２のシーンメモリ８４は、ミキサ本体２のオペレータがシーンストア指示（ｓｔｏｒｅ）したときの、カレントメモリ８３中のリコール範囲内のカレントデータＣＤａｌｌを、１つのシーンデータとする複数ｎ個のシーンデータＳＤａｌｌ（１）〜ＳＤａｌｌ（ｎ）を、記憶している。例えば或るシーンデータＳＤａｌｌ（３）には、ミキサ本体２のシーンデータＳＤｃｅ（３）と、４つのＩ／Ｏ装置３〜６のシーンデータＳＤｉｏ１（３）、ＳＤｉｏ２（３）、ＳＤｉｏ３（３）、及びＳＤｉｏ４（３）が含まれる。
ミキサ本体２のオペレータがｎ個のシーンのうち１つを指定してシーンリコール指示（Ｒｅｃａｌｌ）したとき、当該指定されたシーンに対応するシーンデータ（シーンデータＳＤａｌｌ（１）〜ＳＤａｌｌ（ｎ）のうちの１つ）がシーンメモリ８４から読み出されて、カレントメモリ８３のリコール範囲内のカレントデータＣＤａｌｌに上書きされる。
【００８２】
Ｉ／Ｏ装置（図では第２Ｉ／Ｏ装置４）のシーンメモリ８６は、ミキサ本体２のオペレータがシーンストア指示（ｓｔｏｒｅ）したときの、カレントメモリ８５のリコール範囲内のカレントデータＣＤｉｏ２を１つのシーンデータとする複数ｎ個のシーンデータＳＤｉｏ２（１）〜ＳＤｉｏ２（ｎ）を、記憶している。
また、ミキサ本体２のオペレータがｎ個のシーンのうち１つを指定してシーンリコール指示（Ｒｅｃａｌｌ）したとき、当該指定されたシーンに対応するシーンデータ（シーンデータＳＤｉｏ２（１）〜ＳＤｉｏ２（ｎ）のうちの１つ）がシーンメモリ８６から読み出されて、カレントメモリ８５のリコール範囲内のカレントデータＣＤｉｏ２に上書きされる。
なお、各Ｉ／Ｏ装置３〜６におけるシーンストア・リコールの動作は、そのＩ／Ｏ装置がオンライン状態の場合にのみ行われる。
【００８３】
シーンリコールに際して、リコール範囲内のカレントデータ群のうち、所望のパラメータ（カレントデータ）をリコール対象から外すリコールセーフ機能が従来からある。例えば、Ｉ／Ｏ装置の入力ポートの入力レベルをリコールセーフ対象に設定してシーンリコールすれば、個々のＩ／Ｏ装置においてスタッフが調整した入力レベルを、シーンリコール後も使用できる。反対に、Ｉ／Ｏ装置の入力ポートの入力レベルをリコールセーフ対象に設定せずに、シーンリコールすれば、各入力ポートには、当該リコールしたシーンデータに含まれる入力レベルが設定され、スタッフにより調整されたパラメータは無視される。各パラメータをリコールセーフ対象にするかどうかは、オペレータが判断すればよい。
【００８４】
ミキサ本体２と各Ｉ／Ｏ装置３〜６がオンライン（ＯｎＬｉｎｅ）状態のとき、ミキサ本体２のオペレータ操作に応じて各Ｉ／Ｏ装置３〜６をリモート制御できる。各装置２〜６のオンライン／オフライン状態の切り替えは、ミキサ本体２（制御装置）にてオペレータが制御できる。オンラインを開始するにあたり、ミキサ本体２のカレントメモリ８３のカレントデータＣＤａｌｌ中の各Ｉ／Ｏ装置のカレントデータ（スレーブパラメータ）と、それぞれ対応するＩ／Ｏ装置のカレントデータ（マスタパラメータ）を一致させる。このとき、ミキサ本体２のスレーブパラメータに各Ｉ／Ｏ装置のマスタパラメータをコピーしてもよいし、又は、各Ｉ／Ｏ装置のマスタパラメータにミキサ本体２のスレーブパラメータをコピーしてもよい。
【００８５】
図９は、制御装置であるミキサ本体２において、オペレータによるコンソール操作（パネル操作子１６、電動フェーダ１７、又は表示部１５の操作子画像の操作）に応じて、ミキサ本体２のＣＰＵ１０が実行する処理を示すフローチャートである。ミキサ本体２のＣＰＵ１０は、１つの操作子の操作に応じて図９の処理を１つ起動する。
【００８６】
ステップＳ１において、ミキサ本体２のＣＰＵ１０は、オペレータにより操作された操作子を特定する操作子ＩＤをメモリ１１の変数ＣＩＤに設定し、且つ、今回の操作により指定された値をメモリ１１の変数ＶＡＬに設定する。ステップＳ２において、ミキサ本体２のＣＰＵ１０は、前記ステップＳ１にて設定した変数ＣＩＤに応じて、当該操作された操作子に割り当てられたパラメータを特定して、ミキサ本体２のカレントメモリ８３中の該特定したパラメータの値を、前記ステップＳ１にて設定した変数ＶＡＬに応じて変更する。ステップＳ３において、ミキサ本体２のＣＰＵ１０は、前記ステップＳ２で変更されたカレントメモリ８３に応じて、今回オペレータにより操作された操作子に割り当てられたパラメータに関する各種表示を更新する。前記ステップＳ２，Ｓ３により、オペレータのコンソール操作に応じて直ちに当該ミキサ本体２のカレントメモリ８３の内容を変更し、且つ、パラメータの表示を更新するので、ミキシングシステム１内のいずれの装置２〜６のパラメータをオペレータが操作した場合であっても、当該コンソール操作に応じた表示変更のレスポンスが良い。
【００８７】
ステップＳ４において、ミキサ本体２のＣＰＵ１０は、今回オペレータにより操作された操作子に割り当てられたパラメータがスレーブパラメータ又はマスタパラメータのいずれであるか（当該パラメータがミキサ本体２のパラメータであるか、又は、Ｉ／Ｏ置３〜６をリモート制御するパラメータであるか）を調べる。マスタパラメータの場合（ステップＳ４のＮＯ）、ステップＳ５において、ミキサ本体２のＣＰＵ１０は、前記ステップＳ２で変更した当該パラメータの値でミキサ本体２の動作を制御する。具体的には、ミキサ本体２のＣＰＵ１０は、更新されたメモリ１１のカレントメモリ８３に応じて、ＤＳＰ部１８のオーディオ信号処理、表示部１５の画面表示、操作子表示（例えば自照式ボタンの点灯・消灯など）、或いは、電動フェーダ１７のつまみ部の位置等を制御する。そして、ミキサ本体２のＣＰＵ１０は、今回の操作子の操作に応じて起動した処理を終了する。
【００８８】
一方、今回オペレータにより操作された操作子に割り当てられたパラメータがスレーブパラメータの場合（ステップＳ４のＹＥＳ）、ミキサ本体２のＣＰＵ１０は、該パラメータに対応するＩ／Ｏ装置（リモート制御すべきＩ／Ｏ装置）を特定して、そのＩ／Ｏ装置がオンライン中かどうか調べる。当該Ｉ／Ｏ装置オンラインでない場合には（ステップＳ６のＮＯ）、ミキサ本体２のＣＰＵ１０は、今回の操作子の操作に応じたＩ／Ｏ装置のリモート制御を行わずに、処理を終了する。
【００８９】
該Ｉ／Ｏ装置がオンライン状態の場合（ステップＳ６のＹＥＳ）、ステップＳ７において、ミキサ本体２のＣＰＵ１０は、今回オペレータにより操作された操作子に割り当てられたパラメータの値を前記ステップＳ１にて設定した変数ＶＡＬに応じて変更するよう指示する「変更指示」を、オーディオネットワークＩ／Ｏ１３により伝送フレーム８のイーサネット（登録商標）領域４３に書き込み、当該変更指示を、今回オペレータにより操作された操作子に割り当てられたパラメータに対応するＩ／Ｏ装置に送信する。すなわち、前記ステップＳ５及び前記ステップＳ７がデバイス制御部として機能する。
【００９０】
前記変更指示の宛て先であるＩ／Ｏ装置は、オーディオネットワークＩ／Ｏ２４により、伝送フレーム８のイーサネット（登録商標）領域４３から前記ステップＳ７でミキサ本体２から送信された変更指示（パラメータの値の制御データ）を読み出して、当該変更指示を受信する。
図１０は、前記ステップＳ７でミキサ本体２から送信された変更指示を受信したときに、Ｉ／Ｏ装置が実行する処理を示すフローチャートである。ステップＳ１１において、Ｉ／Ｏ装置のＣＰＵ２１は、受信した変更指示に応じて、メモリ２２のカレントメモリ８５のパラメータの値を更新する。これにより、当該Ｉ／Ｏ装置のカレントメモリ８５中の当該パラメータが、ミキサ本体２のオペレータによるコンソール操作に応じてリモート制御される。ここでリモート制御の対象となるのは、例えばＩ／Ｏ装置の入力ポート７４の入力パラメータ或いは、出力ポート８０の出力パラメータである。
【００９１】
ステップＳ１２において、Ｉ／Ｏ装置のＣＰＵ２１は、前記ステップＳ１１で行ったパラメータ変更の結果に応じた「変更通知」（当該パラメータの値の変更結果）を、オーディオネットワークＩ／Ｏ２４により、伝送フレーム８のイーサネット（登録商標）領域４３に書き込み、当該変更通知をミキサ本体２に対して送信する。
ステップＳ１３において、Ｉ／Ｏ装置のＣＰＵ２１は、前記ステップＳ１１で更新された当該パラメータの値に基づいて当該Ｉ／Ｏ装置の動作を制御して、ミキサ本体２から受信した変更指示に応じて起動した処理を終了する。例えば、Ｉ／Ｏ装置のＣＰＵ２１は、ミキサ本体２のリモート制御に応じて、入力ポート７４の入力パラメータ（例えば入力レベルや、位相切り替え等）を調整したり、出力ポート８０の出力パラメータ（例えば出力レベルや、イコライザ等）を調整したりする。
【００９２】
図９に戻ると、ミキサ本体２のＣＰＵ１０は、ステップＳ８において、前記ステップＳ１２でＩ／Ｏ装置から送信された変更通知（該Ｉ／Ｏ装置におけるパラメータの値の変更結果）を、オーディオネットワークＩ／Ｏ２４により伝送フレーム８のイーサネット（登録商標）領域４３から読み出して、当該変更通知を受信する。
ステップＳ９において、ミキサ本体２のＣＰＵ１０は、前記ステップＳ８で受信した変更通知に応じて、ミキサ本体２のカレントメモリ８３の当該パラメータの値を更新し、また、ステップＳ１０において、前記ステップＳ９において更新されたカレントメモリ８３に応じて、変更通知を受けたパラメータｂに関する表示部１５の表示を更新して、処理を終了する。前記ステップＳ８，９により、ミキサ本体２のカレントメモリ８３のカレントデータ（スレーブパラメータ）と、そのパラメータの表示が、Ｉ／Ｏ装置のカレントメモリ８５のカレントデータ（マスタパラメータ）に従って更新される。オンライン状態では、原則的に、当該ステップＳ８のパラメータ更新では、先行するステップＳ２にて既に更新されたパラメータの値と同じ値が、上書きされるはずである。
【００９３】
図１１は、各Ｉ／Ｏ装置でスタッフが簡易ＵＩ２６を用いて操作を行ったときに、そのＩ／Ｏ装置のＣＰＵ２１が実行する処理例を説明するフローチャートである。ステップＳ１４において、Ｉ／Ｏ装置のＣＰＵ２１は、スタッフに操作された操作子を特定する操作子ＩＤをメモリ２２の変数ＣＩＤに設定し、且つ、今回の操作により指定された値をメモリ２２の変数ＶＡＬに設定する。
【００９４】
ステップＳ１５において、Ｉ／Ｏ装置のＣＰＵ２１は、前記ステップＳ１４にて設定した変数ＣＩＤに基づいて、当該操作された操作子に割り当てられたパラメータを特定して、特定されたパラメータがリモート制御の対象か否かを調べる。本実施例では、リモート制御の対象となるパラメータは、入力ポート７４の入力パラメータと出力ポート８０の出力パラメータである。リモート制御の対象とならないＩ／Ｏ装置のパラメータは、ローカルモニタ機能のパラメータ、すなわちモニタポート選択部８１のポート選択パラメータ及びローカルモニタ出力部８２のローカルモニタレベルパラメータである。
【００９５】
スタッフに操作された操作子に割り当てられたパラメータがリモート制御の対象でない場合（ステップＳ１５のＮＯ）、ステップＳ１６において、Ｉ／Ｏ装置のＣＰＵ２１は、当該Ｉ／Ｏ装置のメモリ２２のカレントメモリ８５中の前記特定したパラメータ（当該操作された操作子に割り当てられたパラメータ）の値を、前記ステップＳ１４にて設定した変数ＶＡＬに応じて変更する。ステップＳ１７において、Ｉ／Ｏ装置のＣＰＵ２１は、前記ステップＳ１６の変更に応じて、当該パラメータに関する表示部３０の表示（例えばポートの情報（スロット番号、ポート番号）や、ローカルモニタレベル）を更新する。そして、ステップＳ１８において、Ｉ／Ｏ装置のＣＰＵ２１は、前記ステップＳ１６で更新されたカレントメモリ８５に応じて当該Ｉ／Ｏ装置の動作を制御する。例えば、Ｉ／Ｏ装置のＣＰＵ２１は、モニタポート選択部８１に対するモニタ対象のポート選択や、モニタ出力部８２に対するローカルモニタレベルの調整を行う。ステップＳ１８がスタッフ操作部での前記パラメータ制御操作に応じて前記入パラメータ及び出力パラメータを制御するパラメータ制御部として機能する。
【００９６】
ステップＳ１９において、Ｉ／Ｏ装置のＣＰＵ２１は、ミキサ本体２（制御装置）がオンライン状態かどうかチェックする。ミキサ本体２（制御装置）がオンラインの場合（ステップＳ１９のＹＥＳ）、Ｉ／Ｏ装置のＣＰＵ２１は、ステップＳ２０において、スタッフの操作に応じたカレントデータ（マスタパラメータ）の変更結果を、ミキサ本体２に送信する。ミキサ本体２はＩ／Ｏ装置から変更通知を受信し、該受信した変更通知に基づいて前記ステップＳ８〜Ｓ１０と同様の処理を行うことにより、自身のカレントメモリ８３の当該パラメータ（スレーブパラメータ）を、Ｉ／Ｏ装置のカレントメモリ８５中のマスタパラメータに従って更新し、且つ、当該パラメータの表示を更新する。ミキサ本体２（制御装置）がオフラインの場合（ステップＳ１９のＮＯ）、Ｉ／Ｏ装置のＣＰＵ２１は、今回のスタッフ操作に応じたマスタパラメータの変更をミキサ本体２に通知せずに、処理を終了する。
【００９７】
スタッフに操作された操作子に割り当てられたパラメータがリモート制御の対象の場合（ステップＳ１５のＹＥＳ）、Ｉ／Ｏ装置のＣＰＵ２１は、ステップＳ２１において、自身のカレントメモリ８５のカレントデータＣＤβに含まれるＯＬＥパラメータの値が有効か無効かを調べる。
ＯＬＥパラメータが有効（ＯＬＥ＝１）の場合（ステップＳ２１のＹＥＳ）、ステップＳ２２において、Ｉ／Ｏ装置のＣＰＵ２１は、スタッフに操作された操作子に割り当てられたパラメータがパッチされた入力ポート７４の入力パラメータ又はパッチされた出力ポート８０の出力パラメータであるかどうか調べる。パッチされた入力ポート７４とはミキサ本体２の何れかの入力ｃｈ５８に接続されている入力ポートであり、また、パッチされた出力ポート８０とはミキサ本体２の何れかの出力ｃｈ６１に接続されている出力ポートである。
パッチされたポートのパラメータである場合（ステップＳ２２のＹＥＳ）、Ｉ／Ｏ装置のＣＰＵ２１は、Ｉ／Ｏ装置のＣＰＵ２１は、パラメータの変更処理を行わずに処理を終了する。したがって、ＯＬＥパラメータが有効のときは、何れかの入力ｃｈ５８に接続されている入力ポート７４の入力パラメータ及び何れかの出力ｃｈ６１に接続されている出力ポート８０の出力パラメータは、当該Ｉ／Ｏ装置のスタッフの簡易ＵＩ２６を用いたパラメータ制御操作を受けない。
【００９８】
他方、ＯＬＥパラメータが無効（ＯＬＥ＝０）の場合（ステップＳ２１のＮＯ）、或いは、ＯＬＥパラメータが有効であってもスッタフに操作されたパラメータがパッチされたポートのパラメータでない場合（ステップＳ２２のＮＯ）には、Ｉ／Ｏ装置のＣＰＵ２１は、前述のステップＳ１６〜Ｓ２０の処理を行い、スタッフによる操作子の操作に応じてカレントメモリ８５の当該パラメータを更新する。
【００９９】
以上説明したとおり、この実施例に係るミキシングシステム１によれば、Ｉ／Ｏ装置３〜６のスタッフは、ミキサ本体２のオペレータの操作に関係なく、そのＩ／Ｏ装置３から６の各入力ポート７４に入力しているオーディオ信号及び各出力ポート８０から出力している音響信号を、モニタ出力部８２を使ってチェックでき、且つ、必要に応じてその入力ポート７４又は出力ポート８０のパラメータを、スタッフ操作部２６を使って調整できるという優れた効果を奏する。よって、例えば、オペレータが制御装置を使って或る出し物のためのミキシングシステムを操業中に、スタッフが未使用の入出力装置を使って、別の出し物に関するオーディオ信号をモニタしたり、そのオーディオ信号の入力レベル等のパラメータを調整したりできるようになる。
また、リモート制御対象の入力ポートの入力パラメータ又は出力ポートの出力パラメータについて、そのポートがミキサ本体２のチャンネルに接続されている場合には、スタッフによるパラメータ制御操作に応じた制御を行わないことにより、入力チャンネルに接続されている入力ポート、又は、出力チャンネルに接続されている出力ポートが、制御装置のオペレータによる制御のみを受けるようになるため、オーディオミキシングシステムで使用中の入力ポート又は出力ポートのパラメータがスタッフ操作部にて誤操作されるのを防ぐことができる。
【０１００】
なお、図１１の処理の別構成例として、パラメータがリモート制御対象かどうかの判断（前記ステップＳ１５）、ＯＬＥパラメータが有効か無効かの判断（前記ステップＳ２１）、及び、パッチされたポートであるかどうかの判断（前記ステップＳ２２の）の３つの判断のうちのいずれか１つだけを行う構成でもよい。更に別の構成例として、これら３つの判断を任意に組み合わせた構成、具体的には、パラメータがリモート制御対象かどうかの判断とＯＬＥパラメータが有効か無効かの判断を行う構成、又は、パラメータがリモート制御対象かどうかの判断とパッチされたポートであるかどうかの判断を行う構成、又は、前記ステップＳ２１のＯＬＥパラメータが有効か無効かの判断と前記ステップＳ２２のパッチされたポートであるかどうかの判断を行う構成を採用してもよい。
【０１０１】
また、上記実施例では、ミキサ本体２を制御装置として用いる例を説明したが、ミキシングシステムの各装置に接続されたＰＣ７を制御装置として用いてもよい。すなわち、制御装置は、ミキシングシステム１内に組み込まれた装置（例えばミキサ本体２）によって構成されていてもよいし、システム１の構成装置２〜６とは独立した装置（ＰＣ７）により構成されてもよい。ミキシングシステム１内に組み込まれた装置２〜６によって制御装置を構成する場合、制御装置は、ミキサ本体２に限らず、制御装置に必要な構成要素を有する何れの装置により実現されていてもよい。また、システム内の複数の装置が制御装置として機能しうる構成でもよい。また、独立した装置により制御装置を構成する場合、ネットワークに接続された装置のＰＣＩ／Ｏに接続装置（ＰＣ７）を接続する構成に限らず、ネットワークに直接接続されたＰＣを制御装置として用いる構成であってもよい。
【０１０２】
また、上記実施例では、ミキサ本体２がミキシングコンソール（制御装置）の機能とミキシングエンジンの機能を担うミキシングシステム１の構成を説明したが、ミキシングコンソール（制御装置）とミキシングエンジンがそれぞれ独立した装置であるミキシングシステム１の構成であってもよい。
【０１０３】
上記実施例のミキシングシステムは、例えば、コンサート会場や大規模イベントなどのＰＡ（Public Address（パブリック・アドレス））システム、デパート、学校など施設内における構内放送用のシステム、或いは、音楽レコーディングスタジオのレコーディングシステムなど、種々のシーンで利用されるオーディオミキシング用システム（音響システム）であってよい。
【符号の説明】
【０１０４】
１  ミキシングシステム、２  ミキサ本体（制御装置）３〜６  Ｉ／Ｏ装置、７  パーソナルコンピュータ、１０，２１  ＣＰＵ、１１，２２  メモリ、１２、２３  オーディオＩ／Ｏ、１３，２４  オーディオネットワークＩ／Ｏ、１４，２５  ＰＣインタフェース、１５  表示部、１６  パネル操作子、１７  電動フェーダ、１８，２６，３７  ＣＰＵバス、１９，２７，３８  オーディオバス、２６  簡易ＵＩ、３０  表示部、３１  カーソルキー、３２  回転型操作子、５１〜５３，７４  入力ポート、６８〜７０，８０  出力ポート、７６  オーディオネットワークＩ／Ｏ、７７  送信ポート、７８  受信ポート、８１  モニタポート選択部、８２  ローカルモニタ出力部、８３，８５  カレントメモリ、８４，８６  シーンメモリ
【図１】
2012204864.tif 000003
【図２】
2012204864.tif 000004
【図３】
2012204864.tif 000005
【図４】
2012204864.tif 000006
【図５】
2012204864.tif 000007
【図６】
2012204864.tif 000008
【図７】
2012204864.tif 000009
【図８】
2012204864.tif 000010
【図９】
2012204864.tif 000011
【図１０】
2012204864.tif 000012
【図１１】
2012204864.tif 000013